(57)【特許請求の範囲】
【請求項１】
ピクチャーアウトピクチャー処理が可能で、テレビジョン受像機のチャネルを通って入力する映像信号及び外部から入力する映像信号の各映像内容を探索し得るテレビジョン受像機の入力画面探索装置であって、
第１アンテナを通して受信される第１放送信号を検波する第１同調器（１１）と、
該第１同調器により検出された第１放送信号を映像信号と音声信号とに分離する第１中間周波数処理部（１２）と、
該第１中間周波数処理部から分離された映像信号が主画面に表示されるように前記分離された映像信号を処理する映像信号処理部（１３）と、
ピクチャーアウトピクチャーモード選択キー及び停止モード選択キーを具備し、使用者が所望するピクチャーアウトピクチャーモード及び停止モードを選択するキーマトリックス（２１）と、
前記キーマトリックスによる選択に応じて、前記各映像内容の探索のために入力映像信号を順次切り換えて表示させるピクチャーアウトピクチャーモード及び該入力映像信号の順次の切り換えを停止させ現在表示されている映像信号を継続して表示させる停止モードを実行するための複数の制御信号を出力するマイクロプロセッサー（２２）と、
第２アンテナを通して受信された第２放送信号を検波する第２同調器（３１）と、
該第２同調器により検出された第２放送信号を映像信号と音声信号とに分離する第２中間周波数処理部（３２）と、
前記マイクロプロセッサーの制御信号により、前記第２中間周波数処理部から分離される映像信号と外部から入力する映像信号とを選択するようにスイッチングするスイッチング部（３３）と、
該スイッチング部より選択される映像信号から同期信号を検出し、該検出された同期信号を前記マイクロプロセッサーに出力する同期信号検出部（３４）と、
前記スイッチング部により選択された映像信号が副画面に表示されるように、前記スイッチング部により選択された映像信号を処理するピクチャーインピクチャー処理部（３５）と、
前記映像信号処理部から出力される映像信号と前記ピクチャーインピクチャー処理部から出力される映像信号の比を主画面及び副画面比により表示するために変換する画面比変換部（３６）と、
該画面比変換部によって変換された映像信号をブラウン管に主画面及び副画面により表示されるように処理する色信号処理部（３７）と、
を含み、前記マイクロプロセッサーは、前記同期信号検出部から出力される同期信号の有無に応答して、前記スイッチング部により選択される映像信号の有無を決定し、映像信号がない場合には直ちに次の映像信号を表示させるための切り換えを行うことを特徴とするテレビジョン受像機の入力画面探索装置。
【請求項２】
ピクチャーアウトピクチャー処理が可能で、テレビジョン受像機のチャネルを通って入力する映像信号および外部から入力する映像信号の各映像内容を探索し得るテレビジョン受像機の入力画面探索装置における入力画面探索方法であって、
ピクチャーアウトピクチャーモード選択キーが入力されると、該ピクチャーアウトピクチャーモードをトグルさせて現在副画面の表示されるチャネルを貯蔵し、停止モードを解除させて、予め記憶されたチャネル中の前記貯蔵されたチャネル以外のチャネルを選択するため現在ピクチャーアウトピクチャーチャネルデータから１を増加させて、前記ピクチャーアウトピクチャーチャネルデータが他のテレビジョンチャネルになるようにスイッチングした後、前記トグルされたピクチャーアウトピクチャーモードがオンであるか否かをチェックする第１過程と、
該第１過程でピクチャーアウトピクチャーモード選択キーが入力されていないと判断されると、停止モード選択キーが入力したか否かをチェックし、該停止モード選択キーが入力したと判断されると、前記第１過程でトグルされたピクチャーアウトピクチャーモードがオンであるか否かをチェックし、ピクチャーアウトピクチャーモードがオンであるとき、前記停止モードをトグルさせる第２過程と、
前記第１過程及び第２過程でピクチャーアウトピクチャーモードがオンであり、前記停止モードがオフであるとき、現在探索中のチャネルと前記第１過程で貯蔵されたチャネルとが一致するか否かをチェックする第３過程と、
該第３過程で２つのチャネルが一致すると、マイクロプロセッサーの制御信号により、該チャネルのテレビジョンの放送信号に続いて外部から映像信号が入力されるように、スイッチング部を切換える第４過程と、
該第４過程でスイッチング部から入力する映像信号がテレビジョンの放送信号であるかをチェックし、テレビジョンの放送信号であるとき、第１過程で現在探索中の映像信号のチャネルよりも増加されたチャネルの映像信号を動画させて表示する第５過程と、
該第５過程で入力する映像信号がテレビジョンの放送信号でなく、外部から入力する映像信号であるとき、該映像信号の同期信号があるか否かをチェックし、同期信号があるときのみ該映像信号を順次副画面に表示し、それらの映像内容を順次動画表示される副画面により探索できるようにする第６過程と、
を行うテレビジョン受像機の入力画面探索方法。
【請求項３】
前記スイッチング部は、テレビジョンの放送信号及び外部から入力する映像信号を選択するためのスイッチを備えた請求項１記載のテレビジョン受信機の入力画面探索装置。
【発明の詳細な説明】
【０００１】
【産業上の利用分野】
本発明はピクチャーアウトピクチャー（ＰＯＰ：picture out picture）の処理を行い得るテレビジョン受像機に係るもので、詳しくは、テレビジョン受像機のチャネルを通って入力する映像信号と外部から入力する映像信号とをサーチし得るテレビジョン受像機の入力画面探索装置及びその方法に関するものである。
【０００２】
【従来の技術】
従来、テレビジョン受像機の入力画面探索装置においては、図４に示したように、受信される放送を検波する第１同調器１及び第２同調器２と、第１同調器１及び第２同調器２の放送信号Ｖａ、Ｖｂを各々中間周波数に処理し、各映像信号と各音声信号とに各々分離する第１中間周波数処理部３及び第２中間周波数処理部４と、該第１中間周波数処理部３の映像信号Ｖ１１が主画面にディスプレイされるように処理する映像信号処理部５と、前記第２中間周波数処理部４の映像信号Ｖｉ２が副画面にディスプレイされるように処理するピクチャーインピクチャー（ＰＩＰ：Picture in picture）処理部６と、映像信号処理部５及びＰＩＰ処理部６の映像信号Ｖ１、Ｖ２を主画面と副画面比に変換させる画面比変換部７と、該画面比変換部７の映像信号Ｖ３をブラウン管に表示する色信号処理部８と、キーマトリックス９で選択された機能を実施するための制御信号を出力するマイクロプロセッサー１０とを備えていた。
【０００３】
このように構成された従来のテレビジョン受像機の入力画面探索装置の作用を以下に説明する。図４乃至図７に示したように、第１同調器及び第２同調器２により検波された放送信号Ｖａ、Ｖｂは、第１中間周波数処理部３及び第２中間周波数処理部４で各々処理され、各音声信号Ａｉ１、Ａｉ２と各映像信号Ｖｉ１、Ｖｉ２とに各々分離される。その後、分離された映像信号Ｖｉ１は映像信号処理部５により処理されて主画面を表示する映像信号Ｖ１に出力され、前記映像信号Ｖｉ２はＰＩＰ処理部６により処理されて副画面を表示する映像信号Ｖ２に出力される。
【０００４】
次いで、キーマトリックス９で機能キーが選択されると、映像信号処理部５の映像信号Ｖ１及びＰＩＰ処理部６の映像信号Ｖ２はマイクロプロセッサー１０の制御信号Ｃｔ１３により画面比変換部７で主画面と副画面比を有した映像信号Ｖ３に変換される（この場合、主画面と副画面との比が４：３の映像信号は１６：９の比を有した映像信号に変換されるが、１６：９の比を有した映像信号はそのまま出力される）。次いで、映像信号Ｖ３は色信号処理部８によりブラウン管（ＣＲＴ）に表示される。即ち、図５及び図６に示したように、ＰＩＰ画面又はＰＯＰ画面にて表示される。且つ、図７に示したように、予め記憶されたチャネルのプログラムを探索するためのＰＯＰモードにおいては、２個の停止された副画面と探索中の１個の動画された副画面とに表示され、該動画された副画面は所定時間（約１秒）経過した後、再び停止された副画面になり、その探索動作は記憶されたチャネルにより入力された映像信号の貯蔵順に行われる。
【０００５】
【発明が解決しようとする課題】
然るに、このような従来のテレビジョン受像機の入力画面探索装置においては、テレビジョンのチャネルを通って入力する映像信号を探索するとき、外部から入力する映像信号は探索することができず、探索しようとする映像信号が無い場合は、雑音がディスプレイされて画質が低下するという不都合な点があった。
【０００６】
本発明の目的は、予め記憶されたテレビジョンのチャネルから入力する映像信号と外部から入力する映像信号との探索を同時に行い、探索中に停止モードが設定されると、現在探索中の動画された映像信号が継続動画され、使用者が所望する映像信号を継続して視聴し得るテレビジョン受像機の入力画面探索装置及びその方法を提供しようとするものである。
【０００７】
【課題を解決するための手段】
そして、このような本発明の目的は、第１アンテナを通して受信される第１放送信号を検波する第１同調器と、該第１同調器により検出された第１放送信号を映像信号と音声信号とに分離する第１中間周波数処理部と、該第１中間周波数処理部から分離された映像信号が主画面に表示されるように前記分離された映像信号を処理する映像信号処理部と、ピクチャーアウトピクチャーモード選択キー及び停止モード選択キーを具備し、使用者が所望するピクチャーアウトピクチャーモード及び停止モードを選択するキーマトリックスと、前記キーマトリックスによる選択に応じて、前記各映像内容の探索のために入力映像信号を順次切り換えて表示させるピクチャーアウトピクチャーモード及び該入力映像信号の順次の切り換えを停止させ現在表示されている映像信号を継続して表示させる停止モードを実行するための複数の制御信号を出力するマイクロプロセッサーと、第２アンテナを通して受信された第２放送信号を検波する第２同調器と、該第２同調器により検出された第２放送信号を映像信号と音声信号とに分離する第２中間周波数処理部と、前記マイクロプロセッサーの制御信号により、前記第２中間周波数処理部から分離される映像信号と外部から入力する映像信号とを選択するようにスイッチングするスイッチング部と、該スイッチング部より選択される映像信号から同期信号を検出し、該検出された同期信号を前記マイクロプロセッサーに出力する同期信号検出部と、前記スイッチング部により選択された映像信号が副画面に表示されるように、前記スイッチング部により選択された映像信号を処理するピクチャーインピクチャー処理部と、前記映像信号処理部から出力される映像信号と前記ピクチャーインピクチャー処理部から出力される映像信号の比を主画面及び副画面比により表示するために変換する画面比変換部と、該画面比変換部によって変換された映像信号をブラウン管に主画面及び副画面により表示されるように処理する色信号処理部とを含み、前記マイクロプロセッサーが、前記同期信号検出部から出力される同期信号の有無に応答して、前記スイッチング部により選択される映像信号の有無を決定し、映像信号がない場合には直ちに次の映像信号を表示させるための切り換えを行うように、ピクチャーアウトピクチャー処理が可能で、テレビジョン受像機のチャネルを通って入力する映像信号及び外部から入力する映像信号の各映像内容を探索し得るテレビジョン受像機の入力画面探索装置を構成することにより達成される。
【０００８】
【作用】
本発明によれば、ＰＯＰモード選択キーが入力されると、該ＰＯＰモードをトグルさせて現在副画面の表示されるチャネルを貯蔵し、停止モードを解除させて、予め記憶されたチャネル中の前記貯蔵されたチャネル以外のチャネルを選択するため現在ＰＯＰチャネルデータから１を増加させて、前記ＰＯＰチャネルデータが他のテレビジョンチャネルになるようにスイッチングした後、前記トグルされたＰＯＰモードがオンであるか否かをチェックする第１過程と、該第１過程でＰＯＰモード選択キーが入力されていないと判断されると、停止モード選択キーが入力したか否かをチェックし、該停止モード選択キーが入力したと判断されると、前記第１過程でトグルされたＰＯＰモードがオンであるか否かをチェックし、ＰＯＰモードがオンであるとき、前記停止モードをトグルさせる第２過程と、第１過程及び第２過程でＰＯＰモードがオンであり、前記停止モードがオフであるとき、現在探索中のチャネルと前記第１過程で貯蔵されたチャネルとが一致するか否かをチェックする第３過程と、該第３過程で２つのチャネルが一致すると、マイクロプロセッサーの制御信号により、該チャネルのテレビジョンの放送信号に続いて外部から映像信号が入力されるように、スイッチング部を切換えさせる第４過程と、該第４過程でスイッチング部から入力する映像信号がテレビジョンの放送信号であるかをチェックし、テレビジョンの放送信号であるとき、第１過程で現在探索中の映像信号のチャネルよりも増加されたチャネルの映像信号を動画させて表示する第５過程と、該第５過程で入力する映像信号がテレビジョンの放送信号でなく、外部から入力する映像信号であるとき、該映像信号の同期信号があるか否かをチェックし、同期信号があるときのみ該映像信号を順次副画面に表示し、それらの映像内容を順次動画表示される副画面により探索できるようにする第６過程とを順次行う。
【０００９】
【実施例】
本発明に係るテレビジョン受像機の入力画面探索装置においては、図１に示したように、受信された放送信号を検波する第１同調器１１と、該第１同調器１１の放送信号Ｖａを中間周波数に処理し、映像信号Ｖｉ１と音声信号Ａｉ１とに分離する第１中間周波数処理部１２と、該第１中間周波数処理部１２の映像信号Ｖｉ１を主画面にディスプレイするように処理する映像信号処理部１３と、ＰＯＰモード選択キー及び停止モード選択キーを具備したキーマトリックス２１と、該キーマトリックス２１で選択されたＰＯＰモード及び停止モードを実行するための制御信号Ｓ１〜Ｓ４を出力するマイクロプロセッサー２２と、受信された放送信号を検波する第２同調器３１と、該第２同調器３１の放送信号Ｖｂを中間周波数に処理し、映像信号Ｖｉ２と音声信号Ａｉ２とに分離する第２中間周波数処理部３２と、前記マイクロプロセッサー２２の制御信号Ｓ４によりスイッチングされ、テレビジョンのチャネルから入力する映像信号及び外部から入力する映像信号Ｉ１〜Ｉ３を選択するスイッチング部３１と、該スイッチング部３３から入力する映像信号の同期信号を検出し、探索しようとする映像信号があるか否かを判断する同期信号検出部３４と、前記スイッチング部３３から入力する映像信号を副画面にディスプレイさせるため処理するＰＩＰ処理部３５と、該ＰＩＰ処理部３５及び前記映像信号処理部１３の映像信号Ｖ１、Ｖ２を主画面と副画面比に変換する画面比変換部３６と、該画面比変換部３６の映像信号Ｖ３をブラウン管に表示する色信号処理部３７とを備えている。且つ、前記スイッチング部３３は、前記第２中間周波数処理部３２の映像信号Ｖｉ２及び外部から入力する映像信号Ｉ１〜Ｉ３を選択するためのスイッチを備えている。
【００１０】
このように構成された本発明に係るテレビジョン受像機の入力画面探索装置の作用及びその方法を以下に説明する。先ず、第１同調器１１及び第２同調器３１で検波された放送信号Ｖａ、Ｖｂは各中間周波数処理部１２、３２により処理され、各々音声信号Ａｉ１、Ａｉ２と映像信号Ｖｉ１、Ｖｉ２とに分離された後、分離された映像信号Ｖｉ１は映像信号処理部１３で処理され、主画面を表示させるための映像信号Ｖ１が出力される。次いで、前記キーマトリックス２１でＰＯＰモード選択キーｋｅｙ１が入力されると（Ｓ１０）、マイクロプロセッサー２２の制御信号に従い、現在ＰＯＰモードがオンであるとき、ＰＯＰモ―ドがオフされ、現在ＰＯＰモードがオフであるときＰＯＰモードがオンになるＰＯＰモードのトグル動作が行われる（Ｓ１１）。
【００１１】
その後、現在副画面に表示中のチャネルが最初のチャネルデータに貯蔵され、予め記憶されたテレビジョンのチャネルデータを同調するためチャネルが１だけ増加され（Ｓ１２）、マイクロプロセッサー２２の制御信号Ｓ４によりスイッチング部３３の端子ａが接続され、現在ＰＯＰモードがオンであるか否かがチェックされる（Ｓ１３）。且つ、キーマトリックス２１のＰＯＰモード選択キーが入力されず、停止モード選択キーｋｅｙが入力されると（Ｓ２６）、現在ＰＯＰモ―ドがオンであるか否かがマイクロプロセッサー２２により判断され（Ｓ２７）、該マイクロプロセッサー２２の制御信号に従い停止モードのトグル動作が行われ（Ｓ２８）、現在停止示モードがオンであるとき停止モードがオフされ、現在停止モードがオフであるとき停止モードがオンされる。
【００１２】
又、前記マイクロプロセッサー２２により停止モード選択キーｋｅｙ２が入力されないか又はＰＯＰモードがオフであると判断されると、再び、マイクロプロセッサー２２によりＰＯＰモードがオンであるか（Ｓ１４）及び停止モードがオンであるかがチェックされる（Ｓ１５）。そして、ＰＯＰモードがオンであり、停止モードがオンであると判断されると、現在副画面にて表示中の映像信号のチャネルと貯蔵された最初のチャネルデータと一致するか否かがマイクロプロセッサー２２によりチェックされ（Ｓ１６）、最初のチャネルデータと現在副画面にて表示中のチャネルとが一致すると、マイクロプロセッサー２２の制御信号Ｓ４によりスイッチング部３３が切換され（Ｓ１７）、該スイッチング部３３が端子ａに接続されているとき、端子ｂに切換されて外部から入力する映像信号Ｉ1が選択され、端子ｂに接続されているとき、端子Ｃに切換され外部から入力する映像信号Ｉ2が選択される（Ｓ１８）。且つ、該スイッチング部３３の切換えによりスイッチング部３３を通った映像信号はテレビジョンの放送信号であるか否かがマイクロプロセッサー２２によりチェックされ、テレビジョンの放送信号であるとき、現在探索中の映像信号のチャネルデータが増加され、予め記憶され現在探索中のチャネルの次のチャネルの映像信号が選択される（Ｓ１９）。
【００１３】
即ち、第２同調器３１及び第２中間周波数処理部３２で処理され増加されたチャネルの映像信号は、スイッチング部３３を通ってＰＩＰ処理部３５に印加して処理され、該ＰＩＰ処理部３５から出力する映像信号Ｖ２と、映像信号処理部１３から出力する映像信号Ｖ１とは画面比変換部３６により副画面と主画面とに表示するための画面比に変換され、該画面比変換部３６から出力する映像信号Ｖ３は色信号処理部３７により処理され、ブラウン管ＣＲＴに主画面と副画面にて表示される（Ｓ２１）。例えば、図７に示したように、３個の副画面と１個の主画面との表示が可能なテレビジョンにおいては、２個の副画面が停止され、１個の副画面が動画されて該動画された映像信号の探索が行われ、所定時間が経過すると再び停止されていた１個の副画面が動画されて映像信号の探索が行われ、３個の副画面が順次動画され映像信号が探索される（Ｓ２２）。
【００１４】
又、前記スイッチング部３３を通った映像信号ではないとき、前記スイッチング部３３により外部から入力する映像信号Ｉ１〜Ｉ３がＰＩＰ処理部３５に入力されて（Ｓ２３）、前記ＰＩＰ処理部３５に入力された映像信号は、所定時間の間処理が遅延され（Ｓ２４）、該映像信号Ｉ１〜Ｉ３は同期信号検出部３４に印加して該映像信号Ｉ１〜Ｉ３の同期信号ＳＹＮが検出される（Ｓ２５）。次いで、前記映像信号Ｉ１〜Ｉ３はＰＩＰ処理部３５で処理された後、２個の停止された副画面と１個の動画された副画面とに表示される（図７参照）。更に、ＰＯＰモードがオンで、停止モードがオフであり、現在探索中の映像信号のチャネルと最初のチャネルデータとが一致しないとき、現在ＰＯＰチャネルから１増加された（Ｓ２０）チャネルの映像信号は第２同調器３１及び第２中間周波数処理部３２により処理され、該処理された映像信号がブラウン管ＣＲＴに３つの副画面に分割して表示される（Ｓ２１）。上記表示された３つの副画面は、所定時間が経過するにつれて順次に動画され映像信号が探索される（Ｓ２２）。
【００１５】
【発明の効果】
以上説明したように、本発明に係るテレビジョン受像機の入力画面探索装置及びその方法においては、チャネルを通って受信される放送信号は勿論のこと、外部から入力する映像信号も探索することができ、停止モードがオンになると現在探索中の映像信号が継続動画されて映像信号を選択し得るようになり、さらに探索しようとする映像信号が無いときは、探索が中止されて高画質を具現し得る効果がある。
【図面の簡単な説明】
【図１】  本発明に係るテレビジョン受像機の入力画面探索装置を示したブロック図である。
【図２】  本発明に係るテレビジョン受像機の入力画面探索装置の動作フローチャート（その１）である。
【図３】  本発明に係るテレビジョン受像機の入力画面探索装置の動作フローチャート（その２）である。
【図４】  従来のテレビジョン受像機の入力画面探索装置を示したブロック図である。
【図５】  一般のテレビジョン受像機におけるＰＩＰモードにより表示された画面状態表示図である。
【図６】  一般のテレビジョン受像機におけるＰＯＰモードにより表示された画面状態表示図である。
【図７】  一般のテレビジョンのＰＯＰモードにより表示される副画面表示説明図である。
【符号の説明】
１１…第１同調器
１２…第１中間周波数処理部
１３…映像信号処理部
２１…キーマトリックス
２２…マイクロプロセッサー
３１…第２同調器
３２…第２中間周波数処理部
３３…スイッチング部
３４…ＰＩＰ処理部
３５…同期信号検出部
３６…画面比変換部
３７…色信号処理部
【図１】
0003720384.tif 000002
【図２】
0003720384.tif 000003
【図３】
0003720384.tif 000004
【図４】
0003720384.tif 000005
【図５】
0003720384.tif 000006
【図６】
0003720384.tif 000007
【図７】
0003720384.tif 000008